(57)【特許請求の範囲】
【請求項１】
複数のユーザの通信端末と通信ネットワークを介して接続し、或るユーザの個人情報の一部または全部を、当該ユーザの許可を得た上で他のユーザに提供するサーバであって、
前記個人情報を記憶する個人情報記憶部と、
前記個人情報記憶部に記憶された或るユーザの個人情報に基づいて、当該ユーザ専用の個人ページを作成し、作成した個人ページを当該ユーザの通信端末に送信することにより、前記個人ページを提供する個人ページ提供手段と、
或るユーザの個人情報の一部または全部の閲覧を他のユーザの通信端末が要求する閲覧要求を記憶する閲覧要求記憶部と
前記通信端末から前記閲覧要求を取得して前記閲覧要求記憶部に記憶する閲覧要求取得手段とを備えており、
前記個人ページ提供手段は、前記閲覧要求記憶部の閲覧要求を参照して、或るユーザに対する前記閲覧要求であって、所定期限内である閲覧要求の存在を示す閲覧要求存在情報を、当該ユーザの個人ページに追加し、
前記閲覧要求を許可するか否かを前記閲覧要求の要求先が選択するための許否ページを作成し、作成した許否ページを当該ユーザの通信端末に送信することにより、前記許否ページを提供する許否ページ提供手段をさらに備えており、
前記許否ページ提供手段が提供する許否ページは、或るユーザに対して、同じ個人情報に対する複数のユーザからの前記閲覧要求、または、要求先が同じである複数の前記閲覧要求を許可するか否かを一括で選択可能であることを特徴とするサーバ。
【請求項２】
前記閲覧要求取得手段は、前記閲覧要求が存在する旨と、前記許否ページにアクセスするためのアドレスとを含む電子メールを作成し、作成した電子メールを前記閲覧要求の要求先の通信端末に送信しており、
前記許否ページ提供手段は、前記所定期限を経過した閲覧要求の要求先の通信端末からのアクセスを不可とすることを特徴とする請求項１に記載のサーバ。
【請求項３】
前記許否ページ提供手段が提供する許否ページは、或るユーザに対して、閲覧要求ごとに許可するか否かを選択可能であるとともに、同じ個人情報に対する複数のユーザからの前記閲覧要求、または、要求先が同じである複数の前記閲覧要求を許可するか否かを一括で選択可能であることを特徴とする請求項１または２に記載のサーバ。
【請求項４】
前記許否ページ提供手段が提供する許否ページにより、前記閲覧要求の要求先が許可した個人情報の一部または全部を閲覧するための閲覧ページを作成し、作成した閲覧ページを前記閲覧要求の要求元の通信端末に送信することにより、前記閲覧ページを前記要求元に提供する閲覧ページ提供手段をさらに備えており、
前記許否ページ提供手段は、前記要求先が許可した閲覧要求に対する前記閲覧ページにアクセスするためのアドレスを含む電子メールを作成し、作成した電子メールを前記閲覧要求の要求元の通信端末に送信しており、
前記閲覧ページ提供手段は、所定期限を経過した閲覧要求の要求元の通信端末からのアクセスを不可とすることを特徴とする請求項２または３に記載のサーバ。
【請求項５】
請求項１から４の何れか１項に記載のサーバを動作させるサーバ制御プログラムであって、コンピュータを上記の各手段として機能させるためのサーバ制御プログラム。
【請求項６】
請求項５に記載のサーバ制御プログラムを記録したコンピュータ読み取り可能な記録媒体。
【請求項７】
複数のユーザの通信端末と通信ネットワークを介して接続し、或るユーザの個人情報の一部または全部を、当該ユーザの許可を得た上で他のユーザに提供するサーバの制御方法であって、
前記サーバの個人情報記憶部に記憶された或るユーザの個人情報に基づいて、当該ユーザ専用の個人ページを作成し、作成した個人ページを当該ユーザの通信端末に送信することにより、前記個人ページを提供する個人ページ提供ステップと、
或るユーザの個人情報の一部または全部の閲覧を他のユーザの通信端末が要求する閲覧要求を取得して前記サーバの閲覧要求記憶部に記憶する閲覧要求取得ステップとを含んでおり、
前記個人ページ提供ステップでは、前記閲覧要求記憶部の閲覧要求が参照されて、或るユーザに対する前記閲覧要求であって、所定期限内である閲覧要求の存在を示す閲覧要求存在情報が、当該ユーザの個人ページに追加され、
前記閲覧要求を許可するか否かを前記閲覧要求の要求先が選択するための許否ページを作成し、作成した許否ページを当該ユーザの通信端末に送信することにより、前記許否ページを提供するステップをさらに含んでおり、
前記許否ページを提供するステップでは、提供する許否ページは、或るユーザに対して、同じ個人情報に対する複数のユーザからの前記閲覧要求、または、要求先が同じである複数の前記閲覧要求を許可するか否かを一括で選択可能であることを特徴とするサーバの制御方法。
【発明の詳細な説明】
【技術分野】
【０００１】
本発明は、或るユーザの個人情報の一部または全部を、当該ユーザの許可を得た上で他のユーザに提供するサーバ、その制御方法および制御プログラム、並びに該プログラムを記録した記録媒体に関するものである。
【背景技術】
【０００２】
特定の目的や同じ志向を有する者がネットワーク上でコミュニティ形成を行うために、ｍｉｘｉ等のＳＮＳ（ソーシャルネットワーキングサービス）が利用されている。そして多くのＳＮＳでは、コミュニケーション促進を目的として、個人の所有する画像ファイル、音声ファイルなどの個人情報を公開もしくは共有する仕組みが提供されている。また、個人情報の保護のため、個人情報の公開範囲を段階的に制限する仕組みも提供されている。
【０００３】
例えば、特許文献１に記載のサイト管理者側システムでは、各ユーザの個人情報のうち、テキスト系のデータは、閲覧を希望するユーザの全員に公開されているが、音系のデータおよび画像系のデータは、閲覧を希望するユーザのうち所定のユーザのみに公開されている。そして、ユーザＡの音系のデータからなる個人情報の公開に関して、ユーザＢに許可する公開鍵がユーザＡとユーザＢとの間で授受されると、上記サイト管理者側システムは、ユーザＢをユーザＡによって許可された上記所定のユーザとして管理する。
【０００４】
また、特許文献２に記載の電子情報共有システムは、特定のコミュニティに属する複数の移動端末内に格納された公開ファイルの保持情報を収集し、上記コミュニティに属する移動端末に対して公開ファイルの一覧を提供する。そして、上記電子情報共有システムは、要求元の移動端末からの公開ファイルの配信要求に対して、公開ファイルを保持する移動端末の中から、端末のプレゼンス情報によって最適な配信元を指定する。これにより、指定された移動端末から要求元移動端末に公開ファイルが送信される。
【特許文献１】特開２００４−１８５４４９公報（２００４年７月２日公開）
【特許文献２】特開２００４−１７２８１８公報（２００４年６月１７日公開）
【発明の開示】
【発明が解決しようとする課題】
【０００５】
特許文献１のように、ユーザＢは、ユーザＡの制限された個人情報の閲覧を希望する場合、ユーザＡに上記閲覧の許諾を依頼する必要がある。このため、ユーザＡは、ユーザＢその他のユーザからの依頼の許否をそれぞれ通知する必要があり、煩雑である。一方、依頼を行ったユーザＢその他のユーザは、ユーザＡから通知されるまで、上記依頼を確認したのか、許否の判断中であるのか、上記依頼が無視されたのか、などといった状況が分からず、不安を抱く結果となる。
【０００６】
特に、上記依頼が殺到すると、ユーザＡが許否を判断するまでに時間がかかることになり、上記許否が通知されるまでに時間がかかることになる。このため、依頼を行ったユーザＢその他のユーザは、時間が経過するにつれて上記不安が増大する結果となる。
【０００７】
本発明は、上記の問題点に鑑みてなされたものであり、その目的は、閲覧要求の要求先が、上記閲覧要求の存在を簡便に把握できるサーバなどを提供することにある。
【課題を解決するための手段】
【０００８】
本発明に係るサーバは、複数のユーザの通信端末と通信ネットワークを介して接続し、或るユーザの個人情報の一部または全部を、当該ユーザの許可を得た上で他のユーザに提供するサーバであって、上記課題を解決するため、前記個人情報を記憶する個人情報記憶部と、前記個人情報記憶部に記憶された或るユーザの個人情報に基づいて、当該ユーザ専用の個人ページを作成し、作成した個人ページを当該ユーザの通信端末に送信することにより、前記個人ページを提供する個人ページ提供手段と、或るユーザの個人情報の一部または全部の閲覧を他のユーザの通信端末が要求する閲覧要求を記憶する閲覧要求記憶部と前記通信端末から前記閲覧要求を取得して前記閲覧要求記憶部に記憶する閲覧要求取得手段とを備えており、前記個人ページ提供手段は、前記閲覧要求記憶部の閲覧要求を参照して、或るユーザに対する前記閲覧要求であって、所定期限内である閲覧要求の存在を示す閲覧要求存在情報を、当該ユーザの個人ページに追加することを特徴としている。
【０００９】
また、本発明に係るサーバの制御方法は、複数のユーザの通信端末と通信ネットワークを介して接続し、或るユーザの個人情報の一部または全部を、当該ユーザの許可を得た上で他のユーザに提供するサーバの制御方法であって、上記課題を解決するため、前記サーバの個人情報記憶部に記憶された或るユーザの個人情報に基づいて、当該ユーザ専用の個人ページを作成し、作成した個人ページを当該ユーザの通信端末に送信することにより、前記個人ページを提供する個人ページ提供ステップと、或るユーザの個人情報の一部または全部の閲覧を他のユーザの通信端末が要求する閲覧要求を取得して前記サーバの閲覧要求記憶部に記憶する閲覧要求取得ステップとを含んでおり、前記個人ページ提供ステップでは、前記閲覧要求記憶部の閲覧要求が参照されて、或るユーザに対する前記閲覧要求であって、所定期限内である閲覧要求の存在を示す閲覧要求存在情報が、当該ユーザの個人ページに追加されることを特徴としている。
【００１０】
ここで、ユーザの個人情報とは、ユーザ個人に関する情報をいい、例えばプロフィール、日記、ユーザが所有する音声・画像等の各種コンテンツが挙げられる。また、所定期限は、例えば閲覧要求を取得してから１週間など、サービス形態に応じて種々の期限が考えられる。また、所定期限は、閲覧要求を行うユーザが設定可能であってもよい。
【００１１】
上記の構成および方法によると、或るユーザに対する閲覧要求であって、所定期限内である閲覧要求の存在を示す閲覧要求存在情報が、当該ユーザの個人ページに追加される。これにより、ユーザは、自身の個人ページを参照すれば、他ユーザからの閲覧要求の存在を簡便に把握できる。その結果、閲覧要求が発生するたびに、その旨を示す電子メールが送信されてくる煩わしさを解消できる。
【００１２】
本発明に係るサーバでは、前記閲覧要求を許可するか否かを前記閲覧要求の要求先が選択するための許否ページを作成し、作成した許否ページを当該ユーザの通信端末に送信することにより、前記許否ページを提供する許否ページ提供手段をさらに備えており、前記閲覧要求取得手段は、前記閲覧要求が存在する旨と、前記許否ページにアクセスするためのアドレスとを含む電子メールを作成し、作成した電子メールを前記閲覧要求の要求先の通信端末に送信しており、前記許否ページ提供手段は、前記所定期限を経過した閲覧要求の要求先の通信端末からのアクセスを不可とすることが好ましい。
【００１３】
この場合、所定期限を経過した閲覧要求の要求先の通信端末からの許否ページへのアクセスができなくなる。従って、所定期限を経過した閲覧要求は無効となる。その結果、上記閲覧要求の要求元は、上記閲覧要求の許否が不明である状態を軽減することができる。また、サーバが上記閲覧要求を管理する負担が軽減される。なお、許否ページ提供手段は、前記所定期限を経過した閲覧要求の要求先の通信端末からアクセスされた場合、期限切れを示すエラーページを作成して、上記要求先の通信端末に送信することが望ましい。
【００１４】
本発明に係るサーバでは、前記許否ページ提供手段が提供する許否ページは、或るユーザに対する複数の前記閲覧要求を許可するか否かを一括で選択可能であってもよい。この場合、閲覧要求の要求先が該閲覧要求を許可するか否かを閲覧要求ごとに選択する煩わしさを軽減することができる。
【００１５】
本発明に係るサーバでは、前記許否ページ提供手段が提供する許否ページにより、前記閲覧要求の要求先が許可した個人情報の一部または全部を閲覧するための閲覧ページを作成し、作成した閲覧ページを前記閲覧要求の要求元の通信端末に送信することにより、前記閲覧ページを前記要求元に提供する閲覧ページ提供手段をさらに備えており、前記許否ページ提供手段は、前記要求先が許可した閲覧要求に対する前記閲覧ページにアクセスするためのアドレスを含む電子メールを作成し、作成した電子メールを前記閲覧要求の要求元の通信端末に送信しており、前記閲覧ページ提供手段は、前記許否ページ提供手段が前記電子メールを送信してから所定期限を経過した閲覧要求の要求元の通信端末からのアクセスを不可としてもよい。
【００１６】
この場合、閲覧要求の要求元の通信端末は、所定期限を経過すると、当該閲覧要求に対する閲覧ページへのアクセスができなくなる。すなわち、たとえ閲覧要求に対し許可を与えられても、所定期限を経過すると上記許可は無効となる。従って、サーバが上記閲覧要求に対する許可を管理する負担が軽減される。
【００１７】
なお、上記サーバにおける各手段を、サーバ制御プログラムによりコンピュータ上で実行させることができる。さらに、上記サーバ制御プログラムをコンピュータ読取り可能な記録媒体に記憶させることにより、任意のコンピュータ上で上記サーバ制御プログラムを実行させることができる。
【発明の効果】
【００１８】
本発明に係るサーバは、以上のように、或るユーザに対する閲覧要求であって、所定期限内である閲覧要求の存在を示す閲覧要求存在情報が、当該ユーザの個人ページに追加されるので、ユーザは、自身の個人ページを参照すれば、他ユーザからの閲覧要求の存在を簡便に把握できるという効果を奏する。
【発明を実施するための最良の形態】
【００１９】
本発明の一実施形態について図１〜図１０を参照して説明する。図２は、本実施形態である通信ネットワークシステムの概略構成を示している。図示のように、通信ネットワークシステム１０は、複数の携帯電話機（通信端末）１１および複数の写真撮影プリント装置（通信端末）１２が通信ネットワーク１３を介してサーバ１４に接続された構成である。
【００２０】
携帯電話機１１は、例えば携帯電話網やＰＨＳ（登録商標：Personal Handyphone System）電話網などの無線電話網による電話機能を有するとともに、該無線電話網を用いたデータ通信機能を有する通信端末である。なお、携帯電話機１１以外にも、利用者が利用でき、かつ通信ネットワーク１３に接続できる機器であれば、固定電話機、ＰＤＡ（Personal Digital Assistant）、ＰＣ（Personal Computer）などの任意の通信端末を本発明に適用することができる。
【００２１】
写真撮影プリント装置１２は、利用者の撮影処理を行い、該撮影処理による撮影画像に対して背景の合成や落書きなどの編集処理を行い、該編集処理により作成された編集画像を所定の形式で印刷する装置である。本実施形態では、写真撮影プリント装置１２は、データ通信機能を有しており、上記撮影処理による撮影画像、および／または、上記編集処理による編集画像を、通信ネットワーク１３を介してサーバ１４に送信することができる。
【００２２】
通信ネットワーク１３には、インターネット、ＬＡＮ（Local Area Network）など、公知の通信ネットワークを利用することができる。また、通信ネットワーク１３に利用される通信回線には、公衆通信回線、専用線、ＩＳＤＮ（Integrated Services Digital Network）など、公知の通信回線を利用することができる。
【００２３】
サーバ１４は、各ユーザの個人情報を携帯電話機１１および／または写真撮影プリント装置１２から取得し、取得した個人情報を含む個人ページを作成して、上記各ユーザの携帯電話機１１などに提供するものである。上記個人情報の例としては、ニックネームなどの上記ユーザの名称、プロフィール、および日記の他、携帯電話機１１および／または写真撮影プリント装置１２にて作成された画像、該画像のサムネイル画像などが挙げられる。
【００２４】
なお、本願に記載の「ページ」は、例えばウェブページのように、サーバ１４が携帯電話機１１などの通信端末に送信して表示するためのデータを意味する。上記ページには、通常、テキストデータおよび画像データが含まれており、さらに、音声データが含まれていてもよい。
【００２５】
また、サーバ１４は、特定のユーザ間で情報を交換するための情報である共有情報を含む共有ページを作成して、上記特定のユーザの携帯電話機１１などに提供するものである。上記共有情報には、該共有ページの名称、上記特定のユーザの名称のリスト、ユーザが登録した上記サムネイル画像、該サムネイル画像に対するコメント情報などが挙げられる。
【００２６】
本実施形態では、サーバ１４は、或るユーザに対する閲覧要求であって、所定期限内である閲覧要求の存在を示す閲覧要求存在情報が、当該ユーザの個人ページに追加される。これにより、ユーザは、自身の個人ページを参照すれば、他ユーザからの閲覧要求の存在を簡便に把握することができる。その結果、閲覧要求が発生するたびに、その旨を示す電子メールが送信されてくる煩わしさを解消することができる。
【００２７】
次に、各構成の詳細について説明する。なお、本実施形態の携帯電話機１１、写真撮影プリント装置１２、および通信ネットワーク１３は、現在市販されている一般的な機器を利用できるので、これらの詳細な説明を省略する。
【００２８】
図３は、サーバ１４の概略構成を示している。図示のように、サーバ１４は、制御部２０、記憶部２１、および通信部２２を備える構成である。制御部２０は、サーバ１４の各種構成の動作を統括的に制御するものである。この制御部２０は、例えばＰＣベースのコンピュータによって構成される。そして、各種構成の動作制御は、制御プログラムを上記コンピュータに実行させることによって行われる。
【００２９】
このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御部２０がインターネットなどの通信ネットワークに接続された構成とする場合、この通信ネットワークを介して上記プログラムをダウンロードしてハードディスクなどにインストールして実行する形態なども考えられる。
【００３０】
記憶部２１は、ＲＯＭ（Read Only Memory）、ＲＡＭ（Random Access Memory）、ハードディスクなどの記憶装置を備える。記憶部２１に記憶される内容としては、制御部２０における各種構成の制御動作を行うための制御プログラム、ＯＳ（Operating System）プログラム、その他各種プログラムおよび各種データが挙げられる。
【００３１】
通信部２２は、通信ネットワーク１３を介してサーバ１４および写真撮影プリント装置１２と通信を行うためのものである。通信部２２は、制御部２０から受信した各種データを、通信ネットワーク１３上でのデータ通信に適した形式に変換した後、通信ネットワーク１３上に送信する。また、通信部２２は、通信ネットワーク１３上から受信した各種データを装置内部のデータ形式に変換した後、制御部２０に送信する。
【００３２】
次に、制御部２０および記憶部２１の詳細について説明する。なお、以下では、サーバ１４の制御部２０と携帯電話機１１または写真撮影プリント装置１２との間のデータ通信において、データを中継する通信ネットワーク１３および通信部２２の説明を省略する。
【００３３】
図３に示すように、制御部２０は、個人情報登録部３０、個人ページ提供部（個人ページ提供手段）３１、共有情報登録部３２、共有ページ提供部３３、閲覧要求登録部（閲覧要求取得手段）３４、許否ページ提供部（許否ページ提供手段）３５、および閲覧ページ提供部（閲覧ページ提供手段）３６を備える構成である。また、記憶部２１は、個人情報ＤＢ（データベース）（個人情報記憶部）４０、共有情報ＤＢ４１、および要求情報テーブル（閲覧要求記憶部）４２を記憶している。
【００３４】
個人情報ＤＢ４０には、上述の個人情報がユーザごとに格納されている。また、共有情報ＤＢ４１には、上述の共有情報が共有ページごとに格納されている。また、要求情報テーブル４２には、画像の閲覧要求に関する情報である要求情報が、上記閲覧要求ごとに格納されている。
【００３５】
図４の（ａ）は、要求情報テーブル４２に格納される閲覧要求に関する要求情報のデータ構造の一例を示している。また、同図の（ｂ）は、共有情報ＤＢ４１におけるサムネイル画像に関する情報のデータ構造の一例を示している。
【００３６】
図４の（ｂ）に示すように、サムネイル画像に関する情報としては、共有情報ＤＢ４１に登録された上記サムネイル画像を識別するための共有画像ＩＤと、ユーザを識別するためのユーザＩＤであって、共有情報ＤＢ４１に上記サムネイル画像を登録したユーザのユーザＩＤと、サムネイル画像が対応する実際の画像（実画像）が、個人情報ＤＢ４０の何れの場所に格納されているかを示す実画像へのパス情報と、サムネイル画像の状態情報と、上記実画像の作成日と、上記共有情報への登録日とが格納されている。
【００３７】
ここで、サムネイル画像の状態情報は、無効状態を示す０と、有効状態を示す１との何れかである。上記無効状態は、当該サムネイル画像が上記共有ページから除外された状態を意味し、上記有効状態は、当該サムネイル画像が上記共有ページに含まれている状態を意味する。
【００３８】
また、図４の（ａ）に示すように、上記閲覧要求に関する情報には、上記画像の閲覧要求を識別するための閲覧要求ＩＤと、上記閲覧要求を行ったユーザのユーザＩＤと、上記閲覧要求の対象となる画像の共有画像ＩＤと、上記閲覧要求に対する状態情報と、上記閲覧要求の作成日と、上記閲覧要求に関する情報の更新日とが格納されている。
【００３９】
ここで、上記閲覧要求に対する状態情報は、キャンセル状態を示す０と、受付状態を示す１と、承認状態を示す２との何れかである。キャンセル状態は、上記閲覧要求の承認期限（所定期限）を経過したり、上記閲覧要求が拒否されたりすることにより、上記閲覧要求が取り消された状態を意味する。また、受付状態は、上記閲覧要求を受付中である状態を意味し、承認状態は、上記閲覧要求が承認されている状態を意味する。
【００４０】
図３に戻ると、個人情報登録部３０は、ユーザの個人情報をユーザごとに登録するものである。具体的には、個人情報登録部３０は、携帯電話機１１または写真撮影プリント装置１２から、通信ネットワーク１３および通信部２２を介して取得したユーザからの個人情報を、記憶部２１の個人情報ＤＢ４０に記憶する。なお、個人情報登録部３０は、個人情報を登録するための登録ページを作成して、携帯電話機１１に提供し、ユーザが携帯電話機１１を操作して上記登録ページに対し入力を行って、サーバ１４に送信することにより、個人情報を取得してもよい。
【００４１】
個人ページ提供部３１は、ユーザの携帯電話機１１から個人ページの要求を取得すると、当該ユーザの個人ページを提供するものである。具体的には、個人ページ提供部３１は、上記個人ページの要求に含まれるユーザＩＤに対応する個人情報を個人情報ＤＢ４０から読み出し、読み出した個人情報に基づいて個人ページを作成し、作成した個人ページを要求元の携帯電話機１１に送信する。
【００４２】
また、個人ページ提供部３１は、要求先ユーザＩＤが上記個人情報に含まれるユーザＩＤである要求情報が要求情報テーブル４２に存在し、かつ、上記要求情報における作成日から所定期間（例えば１週間）内である場合、上記画像の閲覧要求が存在する旨の情報を上記個人ページに追加している。これにより、ユーザは、携帯電話機１１にて個人ページを閲覧することにより、上記閲覧要求の有無を容易に把握することができる。また、全ての閲覧要求が、対応する要求情報の作成日から所定期間を経過している場合、上記画像の閲覧要求が存在する旨の情報が上記個人ページに追加されることがないので、古い閲覧要求のために上記閲覧要求が存在する旨の情報が上記個人ページに常に追加されることを回避することができる。
【００４３】
共有情報登録部３２は、上述の共有情報を、該共有情報を含む共有ページごとに登録するものである。具体的には、共有情報登録部３２は、或るユーザの携帯電話機１１からの指示に基づき、個人情報ＤＢ４０における当該ユーザの個人情報から、当該ユーザが参加する共有ページの共有情報として登録すべき情報を抽出し或いは作成して、記憶部２１の共有情報ＤＢ４１に記憶する。なお、共有情報登録部３２は、共有情報を登録するための登録ページを作成して、携帯電話機１１に提供し、ユーザが携帯電話機１１を操作して上記登録ページに対し入力を行って、サーバ１４に送信することにより、共有情報を取得してもよい。
【００４４】
共有ページ提供部３３は、ユーザの携帯電話機１１から当該ユーザが参加する共有ページの要求を取得すると、当該共有ページを提供するものである。具体的には、共有ページ提供部３３は、上記共有ページの要求に含まれるユーザＩＤの認証を行い、該認証に成功した要求に含まれる共有ページに対応する共有情報を共有情報ＤＢ４１から読み出し、読み出した共有情報に基づいて共有ページを作成し、作成した共有ページを要求元の携帯電話機１１に送信する。
【００４５】
閲覧要求登録部３４は、上記画像の閲覧要求を、該閲覧要求ごとに登録するものである。具体的には、閲覧要求登録部３４は、ユーザの携帯電話機１１から上記画像の閲覧要求を取得すると、取得した閲覧要求に含まれる情報に基づいて、図４の（ａ）に示すような要求情報を作成して要求情報テーブル４２に記憶する。
【００４６】
また、閲覧要求登録部３４は、取得した閲覧要求に含まれる共有画像ＩＤに対応するユーザＩＤを共有情報ＤＢ４１から取得し、取得したユーザＩＤに対応するメールアドレスを、個人情報ＤＢ４０から取得する。そして、閲覧要求登録部３４は、取得したメールアドレスを送信先として、許否ページアドレスを含む電子メールを送信する。これにより、ユーザは、携帯電話機１１において上記電子メールを閲覧することにより、上記閲覧要求の存在を直ちに把握できると共に、上記電子メール内の許否ページアドレスを指定することにより、後述の許否ページを直ちに閲覧することができる。なお、電子メールの機能は公知であるので、その説明を省略する。
【００４７】
許否ページ提供部３５は、上記閲覧要求の要求先のユーザが上記閲覧要求を許可するか否かを選択するための許否ページを提供するものである。具体的には、許否ページ提供部３５は、或るユーザの携帯電話機１１から、許否ページへのアクセス要求を取得すると、当該ユーザに対応する要求情報を要求情報テーブル４２から読み出し、読み出した要求情報を用いて許否ページを作成し、作成した許否ページを上記アクセス要求の要求元の携帯電話機１１に送信する。
【００４８】
なお、許否ページは、閲覧要求ごとに作成してもよいし、同じ画像に対する複数のユーザからの閲覧要求をまとめて作成してもよいし、要求先が同じである複数の閲覧要求をまとめて作成してもよい。
【００４９】
本実施形態では、許否ページ提供部３５は、上記要求情報の作成日から所定期間（例えば１週間）が経過している場合、上記要求情報を考慮しないものとする。従って、許否ページには、要求情報の作成日から所定期間内である新しい閲覧要求のみを含むことになるので、ユーザは閲覧要求の許否の選択を行う数が減り、上記選択の煩わしさを軽減することができる。なお、全ての閲覧要求が、要求情報の作成日から所定期間を経過している場合、許否ページを送信する代わりに、エラーメッセージを含むウェブページを当該携帯電話機１１に送信してもよい。
【００５０】
閲覧ページ提供部３６は、上記閲覧要求の要求先のユーザが許可した画像を閲覧するための閲覧ページを提供するものである。具体的には、閲覧ページ提供部３６は、或るユーザの携帯電話機１１から、当該ユーザの閲覧要求に関する閲覧ページへのアクセス要求を取得すると、要求情報テーブル４２における上記閲覧要求の要求情報を参照して、共有画像ＩＤを取得し、取得した共有画像ＩＤに対応する実画像へのパスを個人情報ＤＢ４０から取得して、実画像のデータを読み出し、読み出した実画像を閲覧ページに追加する。
【００５１】
そして、閲覧ページ提供部３６は、上記実画像の追加された閲覧ページを上記ユーザの携帯電話機１１に送信する。すなわち、上記実画像がサーバ１４から携帯電話機１１にダウンロードされることになる。これにより、上記ユーザは、閲覧要求を行った実画像を携帯電話機１１の表示画面にて閲覧することができ、携帯電話機１１の記憶部に保存することができる。
【００５２】
本実施形態では、閲覧ページ提供部３６は、要求情報の更新日、すなわち、上記許否ページにてユーザが上記閲覧要求に対する許否が選択された日から所定期間（例えば１週間）が経過している場合、上記閲覧ページの作成を中止する。これにより、許可された閲覧要求をサーバ１４が管理する必要がなくなるので、サーバ１４の管理負担を軽減することができる。なお、この場合、閲覧ページ提供部３６は、閲覧ページを送信する代わりに、エラーメッセージを含むウェブページを当該携帯電話機１１に送信してもよい。
【００５３】
次に、上記構成のサーバ１４における処理動作について、図１・図５〜図１０を参照して説明する。図５および図６は、携帯電話機１１の構成と、サーバ１４における各種モードの遷移状況とを示している。具体的には、図５は、画像の閲覧要求を行う携帯電話機（要求元端末）１１に対し、サーバ１４が取り得る各種モードへの遷移状況を示している。また、図６は、閲覧要求の対象となる画像（対象画像）を有するユーザの携帯電話機（要求先端末）１１に対し、サーバ１４が取り得る各種モードへの遷移状況を示している。
【００５４】
図５および図６に示すように、サーバ１４は、個人情報登録部３０および個人ページ提供部３１が動作する個人モード５０と、共有情報登録部３２および共有ページ提供部３３が動作する共有モード５１と、閲覧要求登録部３４が動作する閲覧要求モード５２と、許否ページ提供部３５が動作する要求許否モード５３と、閲覧ページ提供部３６が動作する画像閲覧モード５４とを含んでいる。また、携帯電話機１１は、ブラウザ機能６０と電子メール機能６１とを備えている。
【００５５】
図１は、個人モード５０における個人ページの閲覧処理の流れを示している。まず、ユーザの携帯電話機１１から自身の個人ページの閲覧が要求されると、個人ページ提供部３１は、要求元のユーザに対応する個人情報を個人情報ＤＢ４０から読み出して、当該ユーザの個人ページを作成する（ステップＳ１０（以下、「Ｓ１０」と略称することがある。他のステップについても同様である。））。
【００５６】
次に、個人ページ提供部３１は、記憶部２１の要求情報テーブル４２を参照して（Ｓ１１）、上記ユーザに対する閲覧要求が存在するか否かを判断する（Ｓ１２）。存在しない場合には、ステップＳ１５に進む。
【００５７】
一方、上記閲覧要求が存在する場合には、個人ページ提供部３１は、全ての閲覧要求が承認期限、すなわち要求情報の作成日から所定期間を経過しているか否かを判断する（Ｓ１３）。経過している場合にはステップＳ１５に進む。一方、少なくとも１つの閲覧要求が承認期限内である場合、個人ページ提供部３１は、閲覧要求が存在する旨を上記個人ページに追加する（Ｓ１４）。その後、ステップＳ１５に進む。
【００５８】
ステップＳ１５において、個人ページ提供部３１は、作成された個人ページを、要求元の携帯電話機１１に送信する（Ｓ１５）その後、処理動作を終了する。
【００５９】
図７は、共有モード５１における共有画像の登録処理の流れを示している。図示のように、まず、ユーザの携帯電話機１１から、自身が参加している共有ページの閲覧が要求されると、共有ページ提供部３３は、要求された共有ページに対応する共有情報を共有情報ＤＢ４１から読み出して、上記共有ページを作成し、作成した共有ページを要求元の携帯電話機１１に送信する（Ｓ２０）。
【００６０】
次に、共有ページ提供部３３は、共有ページにおける「新規画像登録」欄が上記ユーザの携帯電話機１１によって選択されたか否かを判断する（Ｓ２１）。選択されなかった場合には、その他の選択処理が行われる。
【００６１】
一方、選択された場合には、共有情報登録部３２は、上記ユーザの画像が個人情報ＤＢ４０に登録されているか否かを判断する（Ｓ２２）。上記ユーザの画像が全く登録されていない場合には、共有情報登録部３２は、エラーメッセージを含むエラーページを上記ユーザの携帯電話機１１に送信し、その後ステップＳ２０に戻って上記動作を繰り返す。
【００６２】
一方、上記ユーザの画像が少なくとも１つ登録されている場合には、共有情報登録部３２は、ユーザに登録日の選択を促し、選択された登録日の画像を含む登録ページを送信する（Ｓ２３）。上記登録ページにおいて、ユーザが、上記画像に関するタイトルおよびコメントの入力を完了すると、共有情報登録部３２は、入力内容に誤り（例えば文字数オーバなど）がないかを判断する（Ｓ２４）。誤りがある場合、共有情報登録部３２は、エラーメッセージを含むエラーページを上記ユーザの携帯電話機１１に送信し、その後ステップＳ２３に戻って上記動作を繰り返す。
【００６３】
一方、上記誤りがない場合、共有情報登録部３２は、上記画像の登録を確認するための登録確認ページを送信する（Ｓ２５）。次に、共有情報登録部３２は、上記登録確認ページにおける「ＯＫボタン」および「やり直しボタン」の何れが選択されたかを判断する（Ｓ２６）。「やり直しボタン」が選択された場合には、ステップＳ２０に戻って上記動作を繰り返す。
【００６４】
一方、「ＯＫボタン」が選択された場合には、共有情報登録部３２は、上記画像のサムネイル画像などの縮小画像を共有画像として共有情報ＤＢ４１に登録すると共に、図４の（ｂ）に示すような、上記共有画像に関する各種情報を共有情報として共有情報ＤＢ４１に登録する（Ｓ２７）。そして、共有情報登録部３２は、登録が完了した旨を示す登録完了ページを上記ユーザの携帯電話機１１に送信する（Ｓ２８）。その後、上記処理動作を終了する。
【００６５】
図８は、共有モード５１における画像閲覧処理と、閲覧要求モード５２における画像の閲覧要求処理との流れを示している。図示のように、まず、ユーザの携帯電話機１１から、自身が参加している共有ページにおける共有画像の閲覧が要求されると、共有ページ提供部３３は、要求された共有ページに対応する共有画像を共有情報ＤＢ４１から読み出して、上記共有画像を含む共有画像ページを作成し、作成した共有画像ページを要求元の携帯電話機１１に送信する（Ｓ３０）。
【００６６】
次に、共有ページに含まれる共有画像の１つをユーザが選択すると、共有ページ提供部３３は、選択された共有画像と、該共有画像に関する各種情報とを含む画像詳細ページを作成し、作成した画像詳細ページを上記携帯電話機１１に送信する（Ｓ３１）。次に、共有ページ提供部３３は、上記画像詳細ページにおける「この画像ＧＥＴ」が選択されたか否かを判断する（Ｓ３２）。選択されない場合には、ステップＳ３０に戻って上記動作を繰り返す。
【００６７】
一方、選択された場合には、共有モード５１から閲覧要求モード５２に遷移し、閲覧要求登録部３４が、図４の（ａ）に示すような、選択された共有画像に関する各種情報を要求情報テーブル４２に登録する（Ｓ３３）。次に、上記閲覧要求が存在する旨と許否ページのアドレスとを含む電子メールを作成し、作成した電子メールを上記閲覧要求の要求先の携帯電話機１１に送信する（Ｓ３４）。その後、上記処理動作を終了する。
【００６８】
図９は、要求許否モード５３における画像の閲覧要求の許否処理の流れを示している。図示のように、まず、ユーザの携帯電話機１１から、自身に対する許否ページの閲覧が要求されると、許否ページ提供部３５は、上記要求のリンク元が、図１のステップＳ１５で送信された個人ページと、図８のステップＳ３４で送信された電子メールとの何れであるかを判断する（Ｓ４０）。
【００６９】
電子メールの場合には、許否ページ提供部３５は、上記画像の閲覧要求の承認期限が経過しているか否かを判断する（Ｓ４１）。上記承認期限を経過している場合には、上記画像の閲覧要求が承認期限切れである旨を上記ユーザ（登録者）の携帯電話機１１に通知し（Ｓ４２）、その後、ステップＳ５２に進む。なお、上記画像の閲覧要求の要求元には、上記承認期限を経過した時に上記承認期限切れである旨を通知してもよい。
【００７０】
一方、上記承認期限を経過していない場合には、次のステップＳ４４に進む。また、ステップＳ４０にて上記リンク元が上記個人ページである場合、上記個人ページには、図１のステップＳ１３・Ｓ１４に示すように、上記承認期限を経過していない閲覧要求が存在するときのみ、上記閲覧要求が存在する旨が含まれる。従って、この場合には、ステップＳ４１を省略して、ステップＳ４４に進む。
【００７１】
ステップＳ４４において、許否ページ提供部３５は、要求情報テーブル４２を参照して、上記登録者に対する閲覧要求であって、上記承認期限内である閲覧要求が、複数であるか否かを判断する。上記閲覧要求が１つである場合、ステップＳ４７に進む。
【００７２】
一方、上記閲覧要求が複数である場合には、許否ページ提供部３５は、複数の上記閲覧要求を一覧で表示する許否ページを作成して、上記登録者の携帯電話機１１に送信する（Ｓ４５）。次に、許否ページ提供部３５は、複数の上記閲覧要求を一括で許可（承認）する一括承認を選択したか否かを判断する（Ｓ４６）。上記一括承認を選択しなかった場合、すなわち、複数の上記閲覧要求の何れかが選択された場合、ステップＳ４７に進む。一方、上記一括承認を選択した場合、ステップＳ４９に進む。
【００７３】
ステップＳ４７において、許否ページ提供部３５は、選択された画像の詳細情報を表示する許否ページを作成して、上記登録者の携帯電話機１１に送信する（Ｓ４５）。次に、許否ページ提供部３５は、選択された画像の上記閲覧要求の承認を選択したか否かを判断する（Ｓ４８）。上記承認を選択しなかった場合、すなわち、上記閲覧要求を承認しない場合、ステップＳ５１に進む。一方、上記承認を選択した場合、ステップＳ４９に進む。
【００７４】
ステップＳ４９において、許否ページ提供部３５は、承認された閲覧要求の要求情報における状態情報を承認状態に変更して、要求情報テーブル４２を更新する。次に、許否ページ提供部３５は、上記閲覧要求が承認された旨と、上記閲覧要求の対象画像を閲覧するための閲覧ページのＵＲＬとを含む電子メールを作成し、作成した電子メールを、承認された閲覧要求の要求元（要求者）の携帯電話機１１に送信する（Ｓ５０）。その後、処理動作を終了する。
【００７５】
一方、ステップＳ５１において、許否ページ提供部３５は、上記閲覧要求が承認されなかった旨を含む電子メールを作成し、作成した電子メールを、上記要求者の携帯電話機１１に送信する（Ｓ５１）。次に、ステップＳ５２において、許否ページ提供部３５は、承認されなかった閲覧要求の要求情報における状態情報をキャンセル状態に変更して、要求情報テーブル４２を更新する。その後、処理動作を終了する。
【００７６】
図１０は、画像閲覧モード５４における処理動作の流れを示している。図示のように、まず、上記要求者の携帯電話機１１から、承認された画像を含む閲覧ページの閲覧が要求されると、閲覧ページ提供部３６は、所定期限（閲覧期限）を経過しているか否かを判断する（Ｓ６０）。経過していない場合、閲覧ページ提供部３６は、対象画像を含む閲覧ページを作成し、作成した閲覧ページを上記要求者の携帯電話機１１に送信する（Ｓ６１）。その後処理動作を終了する。
【００７７】
一方、上記閲覧期限を経過している場合、閲覧ページ提供部３６は、上記画像の閲覧が閲覧期限切れである旨を表示するエラーページを作成して、上記要求者の携帯電話機１１に送信する（Ｓ６２）。次に、閲覧ページ提供部３６は、閲覧期限切れでとなった閲覧要求の要求情報における状態情報を、承認状態からキャンセル状態に変更して、要求情報テーブル４２を更新する。その後、処理動作を終了する。
【００７８】
〔実施例〕
次に、通信ネットワークシステム１０の具体例について、図１１〜図１５を参照して説明する。図１１〜図１５は、サーバ１４から送信され、携帯電話機１１にて表示される各種ページの一例と、各種ページ間のリンクの様子を示している。
【００７９】
図１１に示すように、まず、ユーザの携帯電話機１１は、ユーザ自身の個人ページをサーバ１４に要求して取得することにより、携帯電話機１１に個人ページＤ１０が表示される。該個人ページＤ１０において、上記ユーザが共有ページ（プリ帳）を選択すると、ユーザの携帯電話機１１は、選択された共有ページをサーバ１４に要求して取得する。
【００８０】
このとき、上記ユーザが上記共有ページの管理者（作成者）ではない場合、携帯電話機１１に共有ページＤ１１が表示される。一方、上記ユーザが上記共有ページの管理者である場合、携帯電話機１１に共有ページＤ１２が表示される。共有ページＤ１２は、共有ページＤ１１に比べて、共有ページの管理を行うための管理ページへのリンク（プリ帳管理）が設けられている点が異なり、その他は同様である。
【００８１】
共有ページＤ１１・Ｄ１２において、上記ユーザが「新規画像登録」を選択すると（図７のＳ２１）、ユーザの携帯電話機１１は、登録ページをサーバ１４に要求することになる。このとき、図１２に示すように、サーバ１４は、当該ユーザの画像が個人情報ＤＢ４０に登録されていないと判断した場合（図７のＳ２２にてＹＥＳ）、その旨を示すエラーページＤ２０を携帯電話機１１に送信する。これにより、携帯電話機１１にエラーページＤ２０が表示される。
【００８２】
一方、サーバ１４は、当該ユーザの画像が個人情報ＤＢ４０に登録されていると判断した場合（図７のＳ２２にてＮＯ）、登録ページを携帯電話機１１に送信する（図７のＳ２３）。これにより、携帯電話機１１に登録ページＤ２１が表示される。
【００８３】
登録ページＤ２１において、上記ユーザが何れかの登録日を選択すると、選択された登録日に登録された画像のサムネイル画像を含む登録ページＤ２２が、サーバ１４から携帯電話機１１に送信されて表示される（図７のＳ２３）。登録ページＤ２２において、何れかのサムネイル画像を選択すると、選択されたサムネイル画像よりも大きく、かつ元の画像よりも小さい画像である中間画像と、タイトル入力欄およびコメント入力欄とを含む登録ページＤ２３が、サーバ１４から携帯電話機１１に送信されて表示される。
【００８４】
登録ページＤ２３において、ユーザがタイトル入力欄にてタイトルを入力し、コメント入力欄にてコメントを入力する。それから、ユーザが「選び直す」ボタンを選択すると、登録ページＤ２２に戻る。一方、登録ページＤ２３において、ユーザが「ＯＫ」ボタンを選択すると、サーバ１４は、入力されたタイトルおよびコメントにエラー（誤り）があるか否かを検査する（図７のＳ２４）。
【００８５】
上記誤りがある場合、入力エラーがある旨を示すエラーページＤ２４が、サーバ１４から携帯電話機１１に送信されて表示される。エラーページＤ２４において、ユーザが「戻る」ボタンを選択すると、登録ページＤ２３に戻る。
【００８６】
一方、上記誤りが無い場合、登録内容を確認するための登録確認ページＤ２５が、サーバ１４から携帯電話機１１に送信されて表示される（図７のＳ２５）。登録確認ページＤ２５において、ユーザが「やり直す」ボタンを選択すると、登録ページＤ２３に戻る。一方、登録確認ページＤ２５において、ユーザが「ＯＫ」ボタンを選択すると、サーバ１４は、登録確認ページＤ２５に示される中間画像、タイトル、およびコメントを共有情報として共有情報ＤＢ４１に登録する（図７のＳ２７）。そして、登録が完了した旨を示す登録完了ページＤ２６が、サーバ１４から携帯電話機１１に送信されて表示される（図７のＳ２８）。
【００８７】
図１１の共有ページＤ１１・Ｄ１２において、上記ユーザがサムネイル画像の何れかを選択すると、ユーザの携帯電話機１１は、選択されたサムネイル画像に対するコメントを閲覧するための共有ページをサーバ１４に要求して取得することになる。このとき、図１３に示すように、上記ユーザが上記共有ページの管理者である場合、携帯電話機１１に共有ページＤ３０が表示される。一方、上記ユーザが上記共有ページの管理者ではない場合、携帯電話機１１に共有ページＤ３１が表示される。共有ページＤ３０は、共有ページＤ３１に比べて、共有ページＤ３０のコメントを削除したり、共有ページＤ３０自体を削除したりするリンクが設けられている点が異なり、その他は同様である。
【００８８】
共有ページＤ３０・Ｄ３１において、上記ユーザが「コメントする」を選択すると、上記サムネイル画像に対するコメントを入力するための共有ページＤ３２が、サーバ１４から携帯電話機１１に送信されて表示される。共有ページＤ３２において、上記ユーザが確認ボタンを選択すると、サーバ１４は、入力されたコメントにエラー（誤り）があるか否かを検査する。
【００８９】
上記誤りがある場合、入力エラーがある旨を示すエラーページＤ３３が、サーバ１４から携帯電話機１１に送信されて表示される。エラーページＤ３３において、ユーザが「戻る」ボタンを選択すると、共有ページＤ３２に戻る。
【００９０】
一方、上記誤りが無い場合、コメントの登録内容を確認するための登録確認ページＤ３４が、サーバ１４から携帯電話機１１に送信されて表示される。登録確認ページＤ３４において、ユーザが「やり直す」ボタンを選択すると、登録ページＤ３２に戻る。一方、登録確認ページＤ３４において、ユーザが「ＯＫ」ボタンを選択すると、サーバ１４は、登録確認ページＤ３４に示されるコメントを共有情報として共有情報ＤＢ４１に登録する。そして、共有ページＤ３０・Ｄ３１に対し、登録確認ページＤ３４に示されるコメントが追加された共有ページＤ３５が、サーバ１４から携帯電話機１１に送信されて表示される。
【００９１】
図１４に示す共有ページＤ４０は、図１１に示す共有ページＤ１１と同様である。共有ページＤ４０において、上記ユーザが「プリ交換依頼」を選択すると、その内容とサムネイル画像とを含む共有ページＤ４１が、サーバ１４から携帯電話機１１に送信されて表示される。共有ページＤ４１において、上記ユーザが何れかのサムネイル画像を選択すると、選択されたサムネイル画像に対応する中間画像と、該中間画像に対するコメントとを含む共有ページ（詳細ページ）Ｄ４２が、サーバ１４から携帯電話機１１に送信されて表示される（図８のＳ３１）。なお、図１４に示す共有ページＤ４２は、図１３に示す共有ページＤ３１と同様である。
【００９２】
共有ページＤ４２において、上記ユーザが「このプリＧＥＴ」を選択すると（図８のＳ３２にてＹＥＳ）、選択されたサムネイル画像に対応する実画像の閲覧要求を確認するための閲覧要求確認ページＤ４３が、サーバ１４から携帯電話機１１に送信されて表示される。
【００９３】
閲覧要求確認ページＤ４３において、上記ユーザが「依頼する」を選択すると、サーバ１４は、選択されたサムネイル画像（共有画像）に関する各種情報を要求情報テーブル４２に登録する（図８のＳ３３）。次に、サーバ１４は、上記閲覧要求が存在する旨と許否ページのＵＲＬとを含む電子メールを作成し、作成した電子メールを上記閲覧要求の要求先の携帯電話機１１に送信する（図８のＳ３４）。そして、上記閲覧要求が完了した旨を示す閲覧要求完了ページＤ４４が、サーバ１４から携帯電話機１１に送信されて表示される。閲覧要求完了ページＤ４４には、承認期限が記載されている。これにより、上記閲覧要求の要求元のユーザは、上記承認期限を経過すると、上記閲覧要求が無効になることが把握できるので、上記閲覧要求の許否が不明な状態を軽減することができる。
【００９４】
その後、図１５に示すように、上記閲覧要求の要求先の携帯電話機１１には、上記の電子メールＤ５１がサーバ１４から送信されて表示される。また、上記閲覧要求の要求先の個人ページを上記要求先の携帯電話機１１からサーバ１４に要求すると、上記要求先の個人ページＤ５０がサーバ１４から携帯電話機１１に送信されて表示される。
【００９５】
図１５に示す個人ページＤ５０は、図１１に示す個人ページＤ１０に比べて、「プリ交換依頼があったよ」という、上記閲覧要求の存在を示す情報が追加されている。これにより、ユーザは、自身の個人ページを閲覧するのみで、他のユーザから閲覧要求があったか否かを簡便に把握することができる。
【００９６】
電子メールＤ５１において、上記要求先のユーザが許否ページのＵＲＬを選択すると、サーバ１４は、上記閲覧要求の承認期限が経過しているか否かを判断する（図９のＳ４１）。上記承認期限を経過している場合、上記閲覧要求が期限切れである旨を含むエラーページＤ５２が、サーバ１４から送信されて表示される。
【００９７】
一方、上記承認期限を経過していない場合、或いは、個人ページＤ５０において、上記要求先のユーザが「プリ交換依頼があったよ」を選択した場合、サーバ１４は、要求情報テーブル４２を参照して、上記登録者に対する閲覧要求であって、上記承認期限内である閲覧要求が、複数であるか否かを判断する（図９のＳ４４）。上記閲覧要求が複数である場合、複数の上記閲覧要求を一覧で表示する許否ページＤ５３が、サーバ１４から携帯電話機１１に送信されて表示される（図９のＳ４５）。
【００９８】
一方、上記閲覧要求が１つである場合、或いは、許否ページＤ５３において、上記要求先のユーザが個別の「承認」を選択した場合、１つの上記閲覧要求の詳細を含む許否ページＤ５４が、サーバ１４から携帯電話機１１に送信されて表示される（図９のＳ４７）。
【００９９】
許否ページＤ５４において、上記要求先のユーザが「承認する」を選択した場合、上記閲覧要求を承認した旨を示す許可ページＤ５５が、サーバ１４から携帯電話機１１に送信されて表示される。そして、サーバ１４は、上記閲覧要求が承認された旨と、上記閲覧要求の対象画像を閲覧するための閲覧ページのＵＲＬとを含む電子メールＤ５６を作成し、作成した電子メールＤ５６を、承認された閲覧要求の要求元の携帯電話機１１に送信する（図９のＳ５０）。なお、許否ページＤ５３において、上記要求先のユーザが「一括承認する」を選択した場合も、サーバ１４は、上記電子メールＤ５６を作成して、上記要求元の携帯電話機１１に送信する。
【０１００】
一方、許否ページＤ５４において、上記要求先のユーザが「承認しない」を選択した場合、上記閲覧要求を承認しなかった旨を示す不許可ページＤ５７が、サーバ１４から携帯電話機１１に送信されて表示される。そして、サーバ１４は、上記閲覧要求が承認されなかった旨を含む電子メールＤ５８を作成し、作成した電子メールＤ５８を、承認されなかった閲覧要求の要求元の携帯電話機１１に送信する（図９のＳ５１）。
【０１０１】
電子メールＤ５６において、上記要求元のユーザが閲覧ページのＵＲＬを選択すると、サーバ１４は、上記閲覧期限を経過しているか否かを判断する（図１０のＳ６０）。上記閲覧期限を経過している場合、上記画像の閲覧が期限切れである旨を含むエラーページＤ５９が、サーバ１４から送信されて表示される。
【０１０２】
一方、上記閲覧期限を経過していない場合、対象画像を含む閲覧ページＤ６０が、サーバ１４から上記要求元の携帯電話機１１に送信されて表示される（図１０のＳ６１）。
【０１０３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１０４】
最後に、サーバ１４の各ブロック、特に制御部２０は、ハードウェアロジックによって構成してもよいし、次のようにＣＰＵを用いてソフトウェアによって実現してもよい。
【０１０５】
すなわち、サーバ１４は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるサーバ１４の制御プログラムのプログラムコード（実行形式プログラム、中間コードプログラム、ソースプログラム）をコンピュータで読み取り可能に記録した記録媒体を、上記サーバ１４に供給し、そのコンピュータ（またはＣＰＵやＭＰＵ）が記録媒体に記録されているプログラムコードを読み出し実行することによっても、達成可能である。
【０１０６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１０７】
また、サーバ１４を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１０８】
以上のように、本発明は、或るユーザに対する閲覧要求であって、所定期限内である閲覧要求の存在を示す閲覧要求存在情報が、当該ユーザの個人ページに追加されることにより、ユーザが自身の個人ページを参照すれば、他ユーザからの閲覧要求の存在を簡便に把握できるので、或るユーザが有する情報の閲覧を他のユーザに許可する各種サービスに適用することができる。
【図面の簡単な説明】
【０１０９】
【図１】本発明の一実施形態である通信ネットワークシステムにおけるサーバが個人モードであるときにおける個人ページの閲覧処理の流れを示すフローチャートである。
【図２】上記通信ネットワークシステムの概略構成を示すブロック図である。
【図３】上記サーバの概略構成を示すブロック図である。
【図４】同図の（ａ）は、上記サーバの記憶部における要求情報テーブルに格納される、閲覧要求に関する要求情報のデータ構造の一例を表形式で示す図であり、同図の（ｂ）は、上記記憶部における共有情報ＤＢに格納される、共有画像関する情報のデータ構造の一例を表形式で示す図である。
【図５】上記通信ネットワークシステムにおける携帯電話機であって、画像の閲覧要求を行う携帯電話機である要求元端末の概略構成と、該要求元端末に対し上記サーバが取り得る各種モードへの遷移状況を示すブロック図である。
【図６】上記携帯電話機であって、上記閲覧要求の対象となる画像を有する携帯電話機である要求先端末の概略構成と、該要求先端末に対し上記サーバが取り得る各種モードの遷移状況とを示すブロック図である。
【図７】上記サーバが共有モードであるときにおける共有画像の登録処理の流れを示すフローチャートである。
【図８】上記サーバが共有モードであるときにおける画像閲覧処理と、閲覧要求モードであるときにおける画像の閲覧要求処理との流れを示すフローチャートである。
【図９】上記サーバが要求許否モードであるときにおける画像の閲覧要求の許否処理の流れを示すフローチャートである。
【図１０】上記サーバが画像閲覧モードであるときにおける処理動作の流れを示すフローチャートである。
【図１１】上記サーバから送信され、上記携帯電話機にて表示される各種ページの一例と、各種ページ間のリンクの様子を示す図である。
【図１２】上記サーバから送信され、上記携帯電話機にて表示される各種ページの一例と、各種ページ間のリンクの様子を示す図である。
【図１３】上記サーバから送信され、上記携帯電話機にて表示される各種ページの一例と、各種ページ間のリンクの様子を示す図である。
【図１４】上記サーバから送信され、上記携帯電話機にて表示される各種ページの一例と、各種ページ間のリンクの様子を示す図である。
【図１５】上記サーバから送信され、上記携帯電話機にて表示される各種ページの一例と、各種ページ間のリンクの様子を示す図である。
【符号の説明】
【０１１０】
１０  通信ネットワークシステム
１１  携帯電話機（通信端末）
１２  写真撮影プリント装置（通信端末）
１３  通信ネットワーク
１４  サーバ
２０  制御部
２１  記憶部
２２  通信部
３０  個人情報登録部
３１  個人ページ提供部（個人ページ提供手段）
３２  共有情報登録部
３３  共有ページ提供部
３４  閲覧要求登録部（閲覧要求取得手段）
３５  許否ページ提供部（許否ページ提供手段）
３６  閲覧ページ提供部（閲覧ページ提供手段）
４０  個人情報ＤＢ（個人情報記憶部）
４１  共有情報ＤＢ
４２  要求情報テーブル（閲覧要求記憶部）
５０  個人モード
５１  共有モード
５２  閲覧要求モード
５３  要求許否モード
５４  画像閲覧モード
６０  ブラウザ機能
６１  電子メール機能
【図１】
0005180619.tif 000002
【図２】
0005180619.tif 000003
【図３】
0005180619.tif 000004
【図４】
0005180619.tif 000005
【図５】
0005180619.tif 000006
【図６】
0005180619.tif 000007
【図７】
0005180619.tif 000008
【図８】
0005180619.tif 000009
【図９】
0005180619.tif 000010
【図１０】
0005180619.tif 000011
【図１１】
0005180619.tif 000012
【図１２】
0005180619.tif 000013
【図１３】
0005180619.tif 000014
【図１４】
0005180619.tif 000015
【図１５】
0005180619.tif 000016